(57)【要約】 【課題】  ロール紙に対する紙切板の加圧力を調整可能とすることで、種々のロール紙の紙質に対応可能としつつ、加圧力の調整に使用する錘の脱落や紛失が生じることのないロール紙ホルダを提供する。【解決手段】  ロール紙を回転自在に保持する保持部と、一端側を前記ロール紙の上面に当接する当接部とするとともに他端側を揺動自在に枢支された枢支部とする紙切板と、を有するロール紙ホルダにおいて、紙切板に錘を収納する錘収納部を備え、錘は、錘収納部に対し着脱不能で、且つ枢支部からの距離が変更可能となるようスライド自在に収納され、錘を錘収納部の複数の特定位置に保持する錘保持部が設けられていることを特徴とするロール紙ホルダ。【選択図】  図２
2010220705.tif 000002
【特許請求の範囲】
【請求項１】
ロール紙を回転自在に保持する保持部と、一端側を前記ロール紙の上面に当接する当接部とするとともに他端側を揺動自在に枢支された枢支部とする紙切板と、を有するロール紙ホルダにおいて、
前記紙切板に錘を収納する錘収納部を備え、
前記錘は、前記錘収納部に対し着脱不能で、且つ前記枢支部からの距離が変更可能となるようスライド自在に収納され、
前記錘を前記錘収納部の複数の特定位置に保持する錘保持部が設けられていることを特徴とするロール紙ホルダ。
【請求項２】
前記錘をスライド操作する操作部が前記錘収納部に設けられ、前記操作部を介して前記錘を押圧操作することで、前記錘保持部による前記錘の保持が緩和されるよう構成されていることを特徴とする請求項１記載のロール紙ホルダ。
【請求項３】
前記ロール紙側から前記錘を覆って前記錘収納部を形成するカバー部材を備え、前記操作部は、前記枢支部から当接部への方向に亘って前記カバー部材に開設された長孔であることを特徴とする請求項２記載のロール紙ホルダ。
【請求項４】
前記錘保持部は、前記錘と前記カバー部材との間に設けられ係合により前記錘の移動を規制するよう構成され、且つ前記紙切板の枢支部から当接部への方向に亘って離間して複数設けられ、前記カバー部材が撓むことで前記係合が緩和されるよう構成されていることを特徴とする請求項３記載のロール紙ホルダ。
【請求項５】
前記紙切板の枢支部に近づくほど、隣り合う前記錘保持部の間隔が小さくなるよう構成されていることを特徴とする請求項４記載のロール紙ホルダ。
【発明の詳細な説明】
【技術分野】
【０００１】
本発明は、ロール紙を保持して紙切板で切断するロール紙ホルダに係り、ロール紙に対する紙切板の加圧力を調整可能としたロール紙ホルダに関する。
【背景技術】
【０００２】
従来のロール紙ホルダとして、使用者がロール紙を片手で切断して使用できるよう、紙切板を付勢するばねを設けたものが知られている（例えば、特許文献１参照）。このロール紙ホルダでは、ばねの縮み牽引力により紙切板でロール紙を加圧することで、使用者は紙切板を押さえ付けることなく紙を切断して使用することができる。
【０００３】
また、紙切板に錘を着脱可能に取り付け、錘の取付位置を変更可能としたロール紙ホルダが知られている（例えば、特許文献２参照）。このロール紙ホルダでは、錘の取付位置を変更することで、ロール紙に対する紙切板の加圧力を調整可能としている。これにより、種々のロール紙の紙質に対応可能とされている。
【先行技術文献】
【特許文献】
【０００４】
【特許文献１】特開２００１−２６９２８６号公報（第６頁、第１図）
【特許文献２】特開２００４−１２１６９１号公報（第１頁、第１図）
【発明の概要】
【発明が解決しようとする課題】
【０００５】
しかしながら、特許文献１記載のロール紙ホルダでは、ロール紙に対する紙切板の加圧力を調整できないため、加圧力が大きすぎて使用量だけ引き出す前にロール紙がちぎれたり、逆に弱すぎてロール紙が切断できないといった不具合が生じるという問題があった。この点、特許文献２記載のロール紙ホルダでは、錘の取付位置を変更することで加圧力を調整可能としているが、錘が着脱可能であるため、錘の脱落や紛失が懸念されるという問題があった。
【０００６】
本発明は、上記問題を解決するためになされたもので、その目的は、ロール紙に対する紙切板の加圧力を調整可能とすることで、種々のロール紙の紙質に対応可能としつつ、加圧力の調整に使用する錘の脱落や紛失が生じることのないロール紙ホルダを提供することにある。
【課題を解決するための手段】
【０００７】
上記課題を解決するため、本発明に係るロール紙ホルダは、ロール紙を回転自在に保持する保持部と、一端側を前記ロール紙の上面に当接する当接部とするとともに他端側を揺動自在に枢支された枢支部とする紙切板と、を有するロール紙ホルダにおいて、前記紙切板に錘を収納する錘収納部を備え、前記錘は、前記錘収納部に対し着脱不能で、且つ前記枢支部からの距離が変更可能となるようスライド自在に収納され、前記錘を前記錘収納部の複数の特定位置に保持する錘保持部が設けられていることを特徴とする。
【０００８】
本発明によれば、錘収納部に収納される錘を着脱せずにスライドさせることで、紙切板の枢支部から錘までの距離を変更し、錘保持部によって錘が保持される位置を複数の特定位置から選択することができる。これにより、錘の質量によって発生する枢支部回りの回転モーメントを変更し、ロール紙に対する紙切板の加圧力を調整することができる。すなわち、錘の脱落や紛失を生じさせることなく、ロール紙の紙質や大きさ等に応じて加圧力を最適なものに調整することが可能となる。また、錘保持部で錘を特定位置に保持することにより、ロール紙を引き出す際の振動や、紙切板の起立などによって錘の位置がずれてしまうことがなく、加圧力を一定のものとすることができる。
【０００９】
請求項２に係るロール紙ホルダでは、前記錘をスライド操作する操作部が前記錘収納部に設けられ、前記操作部を介して前記錘を押圧操作することで、前記錘保持部による前記錘の保持が緩和されるよう構成されていることを特徴とする。
【００１０】
この態様によれば、操作部を介して錘を押圧操作することで、錘保持部による錘の保持が緩和されるよう構成することで、使用者が操作した時のみ、錘が保持される位置を変更して加圧力を調整することができる。
【００１１】
請求項３に係るロール紙ホルダでは、前記ロール紙側から前記錘を覆って前記錘収納部を形成するカバー部材を備え、前記操作部は、前記枢支部から当接部への方向に亘って前記カバー部材に開設された長孔であることを特徴とする。
【００１２】
この態様によれば、カバー部材で覆うことで錘を錘収納部に対し着脱不能とするとともに、使用者は長孔から指を挿入して錘が保持される位置を変更することで、錘の質量によって発生する枢支部回りの回転モーメントを変更し、加圧力を容易に調整することができる。
【００１３】
請求項４に係るロール紙ホルダでは、前記錘保持部は、前記錘と前記カバー部材との間に設けられ係合により前記錘の移動を規制するよう構成され、且つ前記紙切板の枢支部から当接部への方向に亘って離間して複数設けられ、前記カバー部材が撓むことで前記係合が緩和されるよう構成されていることを特徴とする。
【００１４】
この態様によれば、錘保持部を、錘とカバー部材との間に設けられ係合により錘の移動を規制するものとし、紙切板の枢支部から当接部への方向に亘って離間して複数設けることで、錘が係合する位置を適宜選択してロール紙に対する紙切板の加圧力を調整することができる。また、その係合はカバー部材を撓ませることで緩和されるため、錘が係合する位置を容易に変更することが可能となり、簡易な構成によって錘の係合及びその係合位置の変更を行うことができる。
【００１５】
請求項５に係るロール紙ホルダでは、前記紙切板の枢支部に近づくほど、隣り合う前記錘保持部の間隔が小さくなるよう構成されていることを特徴とする。
【００１６】
ロール紙には、１枚の紙を芯に巻きつけて製造されるもの（所謂シングルロール）と、複数枚重ねた紙を芯に巻きつけて製造されるもの（所謂ダブルロールなど）があり、後者に比べ前者は著しく切れ易い。また、使用されるに紙は、バージンパルプから製造されるものもあれば、回収した古紙などを原料とした再生紙で製造されるものもあり、再生紙は古紙が配合されることで、その切れ易さに大きくばらつきが生じることがある。したがって、種々の１枚の再生紙を芯に巻きつけて製造されるロール紙を、紙切板によって加圧して適切な切れ易さを維持するためには、その加圧力を小さい範囲で微調整できることが好ましい。
【００１７】
この態様によれば、紙切板の枢支部に近づくほど、隣り合う錘保持部の間隔が小さくなるよう構成されているため、紙切板の枢軸から錘までの距離を小さい範囲で微調整することが可能となる。すなわち、上記のような一般的なロール紙の紙質のバラつきに対応し、ロール紙に対する紙切板の加圧力が小さい範囲で、微調整することが可能となるため、使い勝手の向上を図ることができる。
【図面の簡単な説明】
【００１８】
【図１】本発明の第一の実施形態に係るロール紙ホルダの斜視図である。
【図２】図１のＡ−Ａ線における紙切板１の透視断面斜視図である。
【図３】図１のＢ−Ｂ線における紙切板１及び錘４の断面斜視図である。
【図４】本発明の第二の実施形態に係るロール紙ホルダの紙切板１’の断面図である。
【発明を実施するための形態】
【００１９】
以下、本発明の第一の実施形態を、添付図面を参照しながら説明する。
図１は、本発明の第一の実施形態に係るロール紙ホルダの斜視図である。
【００２０】
ロール紙ホルダＲＨは、トイレ室内の壁面や棚下に取り付けられて使用されるものであり、本体２と、ロール紙ＲＰを上部から押さえる板状の紙切板１と、ロール紙ＲＰをその芯Ｒａで保持する保持部３からなる。
【００２１】
本体２は略コ字形状に形成されており、その背面がトイレ室内の壁面などに対し固定される。本体２には対向する２つの腕部２ａが前方に突設されており、それぞれに爪状の保持部３が設けられている。ロール紙ＲＰは腕部２ａ間に配置され、その芯Ｒａ内に保持部３が挿入されて回転自在に保持される。
【００２２】
板状の紙切板１は、その一端に枢軸１ａが形成されており、この枢軸１ａが本体２の腕部２ａに枢支されることで、矢印Ｓ１で示すように枢軸１ａ回りに揺動自在とされている。また、紙切板１の他端はロール紙ＲＰの上面に当接する当接部１ｂとされており、当接部１ｂによってロール紙ＲＰを加圧することで、ロール紙ＲＰの引き出し時のロール紙ＲＰの上下振動を抑えるとともに、ロール紙ＲＰに程よい摩擦を与えてスムーズに引き出せるようにしたり、切断し易くする。
【００２３】
次に、図２及び図３を参照しながら紙切板１の構成について詳述する。
図２は、図１のＡ−Ａ線における紙切板１及び錘４の透視断面斜視図であり、図３は、図１のＢ−Ｂ線における紙切板１の断面斜視図である。
【００２４】
図２（ａ）に示すように、紙切板１の上面と下面をそれぞれ構成する樹脂製の上面カバー１ｃ、下面カバー１ｄとの間には、枢軸１ａ側から当接部１ｂ側に亘ってスリット１ｅが形成されている。このスリット１ｅは、図２（ｂ）に示す錘４が収納される錘収納部とされており、錘４はスリット１ｅに対し着脱不能とされている。金属の平板である錘４は、その厚みがスリット１ｅの幅よりやや小さいものとされており、中央部に一つの操作孔４ａが、左右にはそれぞれ２つの係合孔４ｂが開設されている。
【００２５】
図３に示すように、紙切板１の下面カバー１ｄには、スリット１ｅ内に向けて突出する係合突起１ｆが設けられている。係合突起１ｆは、枢軸１ａ側から当接部１ｂ側に亘って等間隔に離間して複数設けられている。スリット１ｅ内に収納された錘４は、その係合孔４ｂに下面カバー１ｄの係合突起１ｆが係合することで、スリット１ｅ内の特定位置に保持されるよう構成されている。
【００２６】
また、図２に示すように、紙切板１の下面カバー１ｄには、枢軸１ａ側から当接部１ｂ側に亘って拡径した長孔１ｇが設けられており、長孔１ｇより錘４の中央部が露出している。使用者は、この長孔１ｇより指を挿入して矢印Ｆのように錘４を上面カバー１ｃ側へ押すことで、係合孔４ｂと下面カバー１ｄの係合突起１ｆとの係合を外して錘４の保持を緩和できる。さらに、操作孔４ａに指を掛けて力を加えることで、スリット１ｅ内で錘４を矢印Ｓ２の方向へスライドさせ、他の係合突起１ｆと係合して保持される位置まで移動させることができる。錘４を目的位置までスライドさせる過程において、錘４の係合孔４ｂが意図しない係合突起１ｆと係合する場合があるが、この際は下面カバー１ｄが撓むことによってこの係合が緩和され、スライドによる移動を継続させることができる。
【００２７】
このようにしてスリット１ｅ内でスライドさせた錘４の係合孔４ｂに係合させる係合突起１ｆを適宜選択することで、枢軸１ａから錘４までの距離Ｌが変更可能である。距離Ｌを変更することで、錘４の質量によって発生する枢軸１ａ回りの回転モーメントが変わるため、ロール紙ＲＰに対する紙切板１の加圧力を調整することができる。すなわち使用者は、錘４を紙切板１に対し着脱させることなく、ロール紙ＲＰの紙質に応じて加圧力を最適なものに調整することが可能となる。
【００２８】
本実施形態においては、錘４の係合孔４ｂと下面カバー１ｄの係合突起１ｆとの係合により、スリット１ｅ内で錘４が特定位置に保持されるよう構成しているが、この係合の凹凸関係は逆であってもよい。すなわち、錘４側に突起を、下面カバー１ｄ側に孔を設け、それらが係合することで錘４が保持されるよう構成してもよい。
【００２９】
次に、本発明の第二の実施形態について図４を参照しながら説明する。尚、第一の実施形態と同一の要素については符号も同一のものを付し、説明も適宜省略する。
図４は、本発明の第二の実施形態に係るロール紙ホルダの紙切板１’の断面図であり、図１のＢ−Ｂ線と対応する位置において紙切板１’を断面視している。
【００３０】
本実施形態の紙切板１’では、下面カバー１ｄに複数の係合突起１ｆ’が不等間隔で設けられている。詳細には、紙切板１の枢軸１ａに近いほど、隣り合う係合突起１ｆ’の間隔Ｌ１、Ｌ２・・Ｌ５が漸次小さくなるよう構成されている。
【００３１】
ロール紙ＲＰには、１枚の紙を芯Ｒａに巻きつけて製造されるもの（所謂シングルロール）と、複数枚重ねた紙を芯Ｒａに巻きつけて製造されるもの（所謂ダブルロールなど）があり、後者に比べ前者は著しく切れ易い。また、使用されるに紙は、バージンパルプから製造されるものもあれば、回収した古紙などを原料とした再生紙もあり、再生紙は古紙が配合されることで、その切れ易さに大きくばらつきが生じることがある。したがって、種々の１枚の再生紙を芯Ｒａに巻きつけて製造されるロール紙ＲＰを、紙切板１’によって加圧して適切な切れ易さを維持するためには、その加圧力を小さい範囲で微調整できることが好ましい。
【００３２】
本実施形態の紙切板１’では、紙切板１の枢軸１ａに近いほど、隣り合う係合突起１ｆ’の間隔Ｌ１、Ｌ２・・Ｌ５が小さくなるよう構成されているため、紙切板１の枢軸１ａから錘４’までの距離Ｌを小さい範囲で微調整することが可能となる。すなわち、上記のような一般的なロール紙ＲＰの紙質のバラつきに対応し、ロール紙ＲＰに対する紙切板１’の加圧力を小さい範囲で微調整することが可能となるため、使い勝手の向上を図ることができる。
【００３３】
以上、具体例を参照しつつ、本発明の実施の形態について説明した。しかし、本発明は、これらの具体例に限定されるものではない。すなわち、本発明のロール紙ホルダに含まれる各要素については、当業者が適宜設計変更することにより本発明を同様に実施し、同様の効果を得ることができるものも本発明の要旨を含む限り、本発明の範囲に包含される。
【符号の説明】
【００３４】
ＲＰ  ロール紙
ＲＨ  ロール紙ホルダ
Ｒａ  ロール紙の芯
１、１’紙切板
１ａ  枢軸
１ｄ  当接部
１ｅ  スリット
１ｆ、１ｆ’  係合突起
１ｇ  長孔
２  本体
３  保持部
４  錘
４ｂ  係合孔
【図１】
2010220705.tif 000003
【図２】
2010220705.tif 000004
【図３】
2010220705.tif 000005
【図４】
2010220705.tif 000006